(57)【特許請求の範囲】
【請求項１】
指針による実像表示手段と、該指針の前方に傾斜して設けられたハーフミラー、該ハーフミラーの上部に設けられた意匠部付きの導光板、および該導光板を覆うドーム状の背景表示部材を有する虚像表示手段とを各々備えた車両用表示装置であって、
前記背景表示部材は、その一側部が前記導光板との離隔距離が大きくなるように傾けて配置され、光源は、前記一側部の前記導光板と前記背景表示部材との間に設けられ、前記背景表示部材の内面の内、前記一側部に近い部分は、前記背景表示部材の端部によって前記光源の光から影が形成され、前記光源の光で前記背景表示部材の内面の背景意匠が、一部に影を形成した状態で不均一に照射される構成としたことを特徴とする車両用表示装置。
【発明の詳細な説明】
【０００１】
【発明の属する技術分野】
本発明は、車両情報を表示する車両用表示装置に関し、詳しくは、実像表示と虚像表示の組み合わせで表示する車両用表示装置に関するものである。
【０００２】
【従来の技術】
従来の車両用表示装置は、図３に示すように、ケース１内の後部にムーブメント３で駆動される指針４が設けられ、この指針４の前方には光透過性の反射部材であるハーフミラー６が上向きに所定の角度で配置されている。
【０００３】
ケース１の上部には、透明アクリル樹脂材等からなる導光板７が、ハーフミラー６に対して略４５度の角度で取付けられている。この導光板７には目盛、文字等の意匠部８が施されている。この導光板７の上方にドーム形状の背景表示部材１０が取付けられている。この背景表示部材１０の内面１１には虚像表示のための背景意匠が施されている。背景意匠は、蛍光塗料を用いて施す。
【０００４】
導光板７の両側には、例えば蛍光灯あるいはＬＥＤバルブからなる光源１２が設けられ、光源１２の光で、背景表示部材１０の内面１１を照射して、背景意匠を蛍光発光させると共に、その蛍光発光を導光板７を透過させて下方へ照射するようになっている。
【０００５】
前面カバー５の前方からハーフミラー６を見ると、背景表示部材１０の背景意匠および導光板７の意匠部８の目盛、文字等が虚像表示面２に表示され、指針４による実像表示が虚像表示面２に重なって表示される。
【０００６】
図４は、光源１２を背景表示部材１０の上方に配置し、光透過性の背景表示部材１０を透過照明する構造のもので、その他の構造は図３と同一である。なお、図３および図４中、符号２０は、インストルメントパネルを示し、符号２１は、ムーブメント３の制御回路を実装した基板を示す。
【０００７】
【発明が解決しようとする課題】
上記したような従来の車両用表示装置は、いずれも背景表示部材１０の背景意匠の照明が光源１２による均一照明であり、したがって、ハーフミラー６の前方から観察すると、単に色付きの背景意匠の中に意匠部８の目盛・文字等が平坦面に表示されるだけであるため、奥行き感がなく、立体感が得られないという問題がある。
【０００８】
そこで、導光板７に、網点印刷を施し、その疎密により光の透過光量を調整して背景意匠に濃淡を施すことが行われているが、網点印刷の施し様が難しく、所望の立体感が得られない、という課題を有している。
【０００９】
本発明は、上述の点に着目してなされたもので、虚像表示を利用した目盛・文字等の意匠についての立体感の付与が容易で、以て商品価値の高い車両用表示装置を提供することを目的とする。
【００１０】
【課題を解決するための手段】
前記目的を達成するため、請求項１記載の発明は、指針による実像表示手段、該指針の前方に傾斜して設けられたハーフミラーと、該ハーフミラーの上部に設けられた意匠部付きの導光板と、該導光板を覆うドーム状の背景表示部材とからなる虚像表示手段とを各々備えた車両用表示装置であって、前記背景表示部材は、その一側部が前記導光板との離隔距離が大きくなるように傾けて設けられ、光源は、前記一側部の前記導光板と前記背景表示部材との間に設けられ、前記背景表示部材の内面の内、前記一側部に近い部分は、前記背景表示部材の端部によって前記光源の光から影が形成され、前記光源の光で前記背景表示部材の内面の背景意匠が、一部に影を形成した状態で照射される構成としたことを特徴とするものである。
【００１１】
このため、請求項１記載の発明では、前面カバーの前方からハーフミラーを見ると、背景表示部材の背景意匠および導光板の意匠部の目盛、文字等が虚像表示面に表示され、指針による実像表示が虚像表示面に重なって表示される。このとき、背景意匠の照明に明暗があるため、背景意匠に奥行きが感じられ、あたかもこの背景意匠中の目盛、文字が浮かび上がったように立体的に見せることができる。
【００１２】
【発明の実施の形態】
以下、本発明の実施の形態を図面に基づいて説明する。なお、図３および図４と同一部材または同一機能のものは同一符号で示している。
【００１３】
図１は、本発明の一実施形態としての車両用表示装置Ａを示す。この車両用表示装置Ａは、ケース１内の後部にムーブメント３で駆動される指針４が設けられ、この指針４の前方には光透過性の反射部材であるハーフミラー６が上向きに所定の角度で配置されている。ケース１の上部には、透明アクリル樹脂材等からなる導光板７が、ハーフミラー６に対して略４５度の角度で取付けられている。
【００１４】
この導光板７には、目盛、文字等の意匠部８が施されている。この導光板７の上方に、内面１１に背景意匠が施されているドーム形状の背景表示部材１０が設けられている。背景意匠は、蛍光塗料を用いて施す。
【００１５】
この背景表示部材１０は、一側部１４が導光板７との離隔距離が大きくなるように、導光板７に対して傾けて取付けられている。
【００１６】
そして、一側部１４の導光板７と背景表示部材１０との間には、例えば蛍光灯あるいはＬＥＤバルブからなる光源１２が設けられ、この光源１２の光１３で背景表示部材１０の背景意匠を照明している。この照明により、背景意匠は、蛍光発光する。
【００１７】
このとき、背景表示部材１０を傾斜して配置しているため、光源１２の光１３は、背景表示部材１０の内面１１の内、一側部１４に近い部分１１ａは、背景表示部材１０の端部１０ａの影になるため照明が暗くなる。したがって、背景意匠の照明には、極自然な明暗ができる。
【００１８】
また、車両用表示装置Ａは、前面カバー５の前方からハーフミラー６を見ると、背景表示部材１０の背景意匠および導光板７の意匠部８の目盛、文字等が虚像表示面（虚像文字板）２に表示され、指針４による実像表示が虚像表示面２に重なって表示される。
【００１９】
このとき、背景表示部材１０の内面１１の背景意匠に対する照明が均一であると、単に色付きの背景（背景意匠）の中に目盛や文字（意匠部８）が平面的に表示されるに過ぎないが、本実施の形態では、前述したように背景意匠の照明に明暗があるため、背景意匠の虚像に奥行きが感じられ、図２に示すように、この背景意匠中に意匠部８の目盛、文字が浮かび上がったように立体的に見えるようになる。
【００２０】
【発明の効果】
以上、詳述したように、本発明によれば、背景表示部材を導光板に対して傾けて取付けることにより、光源の光で内面の背景意匠の照明に明暗をつけるようにしたので、背景意匠に極自然の明暗を付加することができ、これにより虚像表示の背景に奥行きが感じられ、背景中に目盛、文字が浮かび上がったように立体的に見え、したがって、文字板の意匠に独自性が得られ、商品価値の高い車両用表示装置が得られる。
【００２１】
その上、背景表示部材を導光板に対して傾けて取付けるだけなので、構造簡単で組み付け容易である、というメリットをも有する。
【図面の簡単な説明】
【図１】本発明の車両用表示装置の実施の形態を示す縦断側面図である。
【図２】本発明の車両用表示装置の視認状態図である。
【図３】従来の車両用表示装置の縦断側面図である。
【図４】他の従来の車両用表示装置を示す縦断側面図である。
【符号の説明】
２  虚像表示面
４  指針
６  ハーフミラー
７  導光板
８  意匠部
１０  背景表示部材
１１  内面（背景表示部材の）
１２  光源
１４  一側部（背景表示部材の）
Ａ  車両用表示装置
【図１】
0004056689.tif 000002
【図２】
0004056689.tif 000003
【図３】
0004056689.tif 000004
【図４】
0004056689.tif 000005